(57)【要約】【課題】本発明は，全身運動器具に関する。【解決手段】全身運動器具は，運動器具本体１００の内部の上下側に設けられ，チェーン１１０を直線運動させるように，該チェーン１１０に連係されたホイール１２０を備える駆動部１３０と；前記チェーン１１０の両側に設けられ，シャフト１４０を備えた取手としても機能し，前記チェーン１１０に沿って上下動するペダル１５０と；前記本体１１０の上側に設けられ，前記チェーン１１０に接触して前記チェーン１１０の移送張力を調節するガイドロール１８２を備えた摩擦部材１８０と；前記本体１００の下部に設けられる受け台１９０とから構成される。かかる構成により，腰，腕，足などの全身の運動を容易に行える。さらに，人間の体にフィットした適度な運動を行える。さらに，全身運動や筋肉運動も容易に行える。
2005515803.tif 000002
【特許請求の範囲】
【請求項１】
運動器具本体１００の内部の上下側に設けられ，チェーン１１０を直線運動させるように，該チェーン１１０に連係されたホイール１２０を備える駆動部１３０と；
前記チェーン１１０の両側に設けられ，シャフト１４０を備えた取手としても機能し，前記チェーン１１０に沿って上下動するペダル１５０と；
前記本体１１０の上側に設けられ，前記チェーン１１０に接触して前記チェーン１１０の移送張力を調節するガイドロール１８２を備えた摩擦部材１８０と；
前記本体１００の下部に設けられる受け台１９０と；から成ることを特徴とする全身運動器具。
【請求項２】
前記ペダル１５０は，前記ペダル１５０を回転自在とするべく，前記チェーン１１０に連係する前記シャフト１４０の一端にヒンジ１６０を備え；さらに，前記本体１１０には，前記ペダル１５０の上下直線運動を可能とする開口１７０が設けられていることを特徴とする，請求項１に記載の全身運動器具。
【請求項３】
前記摩擦部材１８０は，螺子山１８１と，前記ガイドロール１８２が両側に設けられたガイド部材１８３と，を備え，前記ガイドロール１８２は，前記チェーン１１０と接触時に移送張力を調整するべく，弾性材から成ることを特徴とする，請求項１に記載の全身運動器具。
【請求項４】
前記本体１００の底部側に形成された複数の穴１９１を備えた結合片１９２がさらに設けられ，結合ピン１９４が固定溝１９３に挿入されることを特徴とする，請求項１に記載の全身運動器具。
【発明の詳細な説明】
【技術分野】
【０００１】
本発明は全身運動器具に関し，より詳しくはチェーンと連設された取手兼ペダルを動作させ，人体の腕，足および腰などの全身運動（および筋肉運動）を容易に遂行できるようにする全身運動器具に関する。
【背景技術】
【０００２】
一般的に従来の運動器具は，人体の特定の部分だけを運動させることにより，身体の運動を特定の部分運動のみに限定するという欠点があった。それゆえ，使用者が運動させたいと願う身体の部分別に，たとえばアレイ，腕力機，バーベル，ダンベルなどを用いて運動を行う。この場合，一つの運動だけを遂行する運動器具を長期間使用することによって，使用者が飽きやすく，他の身体部位の運動を遂行したい場合には，新たに他の運動器具を購入しなければならないなど経済的な負担が大きくなるのが実情である。
【０００３】
一方，最近では腕と足を同時に回転させ，部分的に全身運動を可能にするヘルス運動器具が知られている。前記ヘルス運動器具はすなわち，大韓民国実用新案公報第１９９９−１９２２９号明細書によると図１に示すように，駆動モータ１０とチェーン２０に連結した運動器具本体３０の一側に回転ペダル４０と，他側に回転取手５０が各々付設される構成で，使用者は横になっている状態で手（腕）と足を回転させ，サイクル運動を遂行できるようになっている。
【発明の開示】
【発明が解決しようとする課題】
【０００４】
しかし，上記のようなサイクル運動器具では，人体の特定部位すなわち腕と足のみの運動に限定され全身運動を遂行できず，またチェーンを駆動するために別途の駆動モータが必要になるなどの問題点があった。
【０００５】
そこで，本発明はこのような問題点に鑑みてなされたもので，その目的とするところは，チェーンと連設された取手兼ペダルを動作させ，人体の腕，足および腰などの全身運動を容易に遂行できるようにし，チェーンの移送張力を，摩擦部材を通し自由に調節でき，人体につりあうように運動負荷を調節し，上記全身運動および筋肉運動を簡便に遂行できる全身運動器具を提供することにある。
【課題を解決するための手段】
【０００６】
前記目的を達成するために，本発明は，運動器具本体１００内部の上下側にチェーン１１０と連設されたホイール（ｗｈｅｅｌ）１２０が設置され，チェーン１１０が上下直線運動するよう設置される駆動部１３０と，各々シャフト１４０を介して両側のチェーン１１０に連結され，チェーンと一体となって上下直線運動を遂行する取手兼ペダル１５０と，運動器具本体部１００の上側に設置され，両側にガイドロール１８２が連設され，ガイドロール１８２はチェーン１１０と接触して，チェーン１１０の移送張力を調節できるように設置される摩擦部材１８０と，運動器具本体１００底部に設置される受け台１９０からなる全身運動器具を提供する。
【発明の効果】
【０００７】
以上のように本発明の全身運動器具によると，チェーンと連設された取手兼ペダルを動作（直線運動）させることにより，人体の腕，足および腰などの全身運動を容易に遂行できる。さらにチェーンの移送張力を，摩擦部材を通し自由に調節することにより，人体につりあうように運動負荷を調節でき，前記全身運動および筋肉運動を容易に遂行できる。
【発明を実施するための最良の形態】
【０００８】
以下，添付された図面に基づき，本発明の好ましい実施形態を詳細に説明する。
【０００９】
図２は本発明による全身運動器具の概略透視斜視図，図３は本発明の全身運動器具の正面図，図４は本発明の全身運動器具本体に設置された摩擦部材の主要部構造図，図５は本発明の全身運動器具本体に設置された受け台の結合構造図である。
【００１０】
本発明による全身運動器具は，チェーン１１０，ホイール１２０，駆動部１３０，シャフト１４０，取手兼ペダル１５０，ヒンジ部１６０，開口部１７０，摩擦部材１８０，受け台１９０および吸着板２００を備える。
【００１１】
本発明による全身運動器具本体１００内部の上，下側でホイール１２０（たとえば，歯車等）は各々チェーン１１０と連設され，前記チェーン１１０に上下に直線運動させるために駆動部１３０が設置される。左右両側のチェーン１１０には各々シャフト１４０が介在され，前記チェーン１１０と一体となって運動を遂行する取手兼ペダル１５０が設置される。
【００１２】
図２および図３に示すように，前記チェーン１１０と連設されたシャフト１４０の一端にヒンジ部１６０を設置することにより，取手兼ペダル１５０が自由に回転できるようにする。この時取手兼ペダル１５０が円滑に直線運動できるようにするため，運動器具本体１００の両側面には開口部１７０が形成される。
【００１３】
また図４に示すように，前記運動器具本体部１００の上側には摩擦部材１８０が設置され，上下に移送されるチェーン１１０に摩擦力を与える。この時前記摩擦部材１８０は螺子山１８１を有し，ガイドロール１８２が連設されたガイド部材１８３にねじ結合により固定される。前記ガイドロール１８２はゴム材からなり，移送されるチェーン１１０と接触し，移送張力を調節できるように設置される。
【００１４】
また図５に示すように，前記運動器具本体部１００の底部には多数の穴１９１が形成された結合部１９２が連設され，結合部１９２は結合ピン１９４を介して受け台１９０の固定溝１９３に結合される。前記受け台１９０は吸着板２００が付着した構造になっている。
【００１５】
このような構成による本発明の実施形態において，作用および効果を説明すると次のようになる。
【００１６】
図２〜図５に示すように，運動器具本体１００内部の上，下側にチェーン１１０と連設されたホイール１２０が各々設置される。さらに前記チェーン１１０が上，下に直線運動する状態で，左右両側の前記チェーン１１０には各々シャフト１４０が介在され，前記チェーン１１０と一体となって動く取手兼ペダル１５０が設置される。このことによって，使用者は前記取手兼ペダル１５０に足（または手）を置き上下に動かすと，人体の全身運動が遂行できる。
【００１７】
図２および図３に示すように，前記取手兼ペダル１５０は，チェーン１１０に連設されたシャフト１４０の一端にヒンジ部１６０が設置されることにより，自由に回転できるようになる。また前記運動器具本体部１００の両側面に開口部１７０が形成されることにより，取手兼ペダル１５０は運動器具本体１００にひっかからずに上下に円滑に動けるようになる。
【００１８】
また図４に示すように，前記運動器具本体１００の上側に，螺子山を設けた摩擦部材１８０が設置され，上下に移送されるチェーン１１０に摩擦力を与える。前記摩擦部材１８０を手で回すことにより，螺子山１８１に連結されたガイド部材１８３が螺子山１８１のピッチほどまで上昇および下降し，ガイドロール１８２を上下に移動させる。前記ガイドロール１８２がチェーン１１０と接触しながら，その移送張力を調節することにより，使用者が自身の運動負荷に合わせて摩擦力を調整できる。
【００１９】
一方，図５に示したように，前記運動器具本体１００の底部には多数の穴１９１が形成された結合部１９２が設置され，受け台１９０の固定溝１９３に結合ピン１９４を結合することで，前記運動器具本体１００を好みの角度に傾斜させ，取手兼ペダル１５０を手で押したり引いたりできる。すなわち，人体の腕，腰および足などの全身運動を簡単に遂行できる。
【００２０】
前記では，添付図面を参照しながら本発明の一実施形態について説明したが，本発明はこれに限定されず，当業界で通常の知識を持った者であれば，特許請求の範囲の限度内で多様に変更および修正できることは明らかであり，これもまた本発明の範囲に属することは当然である。
【産業上の利用可能性】
【００２１】
本発明は，人体の腕，足および腰などの全身運動と筋肉運動を容易に遂行できるようにする全身運動器具に適用可能である。
【図面の簡単な説明】
【００２２】
【図１】従来技術によるサイクル全身運動器具の断面図である。
【図２】本発明による全身運動器具の概略透視斜視図である。
【図３】本発明による全身運動器具の正面図である。
【図４】本発明の全身運動器具本体に設置された摩擦部材の主要部構造図である。
【図５】本発明の全身運動器具本体に設置された受け台の結合構造図である。
【符号の説明】
【００２３】
１００    運動器具本体部
１１０    チェーン
１２０    ホイール（ｗｈｅｅｌ）
１３０    駆動部
１４０    シャフト
１５０    取手兼ペダル
１６０    ヒンジ部
１７０    開口部
１８０    摩擦部材
１８１    螺子山
１８２    ガイドロール
１８３    ガイド部材
１９０    受け台
１９１    穴
１９２    結合部
１９３    固定溝
１９４    結合ピン
２００    吸着板
【図１】
2005515803.tif 000003
【図２】
2005515803.tif 000004
【図３】
2005515803.tif 000005
【図４】
2005515803.tif 000006
【図５】
2005515803.tif 000007
【国際調査報告】
2005515803.tif 000008